(57)【要約】【課題】  露光位置で印画紙の浮き上がりを抑制しながらスプライシングテープで繋ぎ合わせた感光材料の通過も許す露光ユニットを構成する。【解決手段】  副走査方向に搬送され印画紙の基材側を案内する基準プレート２５と、この印画紙の感光面側を案内するよう、露光位置Ｘより上流側に配置された前部ガイド体３１と、露光位置Ｘに配置された中央ガイド体３２と、露光位置より下流側に配置された後部ガイド体３３とを備え、中央ガイド体３２と基準プレート２５との間隔Ｄ２を、前部ガイド体３１と基準プレート２５との間隔Ｄ１、及び、後部ガイド体３３と基準プレート２５との間隔Ｄ３より小さく設定し、中央ガイド体３２を基準プレート２５から離間する方向に変位自在にバネで付勢した。【選択図】        図３
2005075600.tif 000002
【特許請求の範囲】
【請求項１】
搬送機構によって副走査方向に搬送される感光材料の基材側を案内する基準プレートと、この感光材料の感光面側を案内するガイド体とを対向配置し、搬送によって露光位置に達した感光材料の感光面に対して露光手段によって主走査方向に沿うライン状に露光を行うよう構成されている露光ユニットであって、
前記ガイド体が、前記露光位置より上流側に配置された前部ガイド体と、露光位置に配置された中央ガイド体と、露光位置より下流側に配置された後部ガイド体とで構成され、前記中央ガイド体と前記基準プレートとの間隔を、前部ガイド体と基準プレートとの間隔、及び、後部ガイド体と基準プレートとの間隔より小さく設定し、この中央ガイド体を前記基準プレートから離間する方向に変位自在、かつ、付勢手段によって前記基準プレートに接近する方向に付勢してある露光ユニット。
【請求項２】
前記搬送機構が、前記露光位置を基準にして搬送方向での上流側と下流位置とに配置された圧着型のローラで構成されると共に、前記中央ガイド体が、前記上流側と下流側との圧着型のローラの中間位置に配置され、かつ、主走査方向にスリット状となる開口を形成した棒状部材で構成され、この棒状部材の両端に対して、この棒状部材を前記基準プレートの案内面と直交する方向へ変位自在に案内する案内機構と、前記付勢手段とを備えている請求項１記載の露光ユニット。
【請求項３】
前記基準プレートを形成した主フレームに対して開閉自在又は分離自在に可動フレームを支持すると共に、この可動フレームに対して前記前部ガイド体と、中央ガイド体と、後部ガイド体とを支持してある請求項１又は２記載の露光ユニット。
【請求項４】
前記ローラが、駆動ローラと、この駆動ローラの回転に従って回転する従動ローラとで構成され、前記駆動ローラを前記主フレームに支持し、前記従動ローラを前記可動フレームに支持してある請求項３記載の露光ユニット。
【請求項５】
前記前部ガイド体と前記後部ガイド体とが板状部材で形成されると共に、この前部ガイド体を感光材料の搬送方向で前記従動ローラより上流側から下流側に亘る位置に配置し、前記後部ガイド体を搬送方向で前記従動ローラより上流側から下流側に亘る位置に配置し、かつ、前記前部ガイド体と前記後部ガイド体とに前記従動ローラが配置される開口を形成してある請求項４記載の露光ユニット。
【発明の詳細な説明】
【技術分野】
【０００１】
本発明は、搬送機構によって副走査方向に搬送される感光材料の基材側を案内する基準プレートと、この感光材料の感光面側を案内するガイド体とを対向配置し、搬送によって露光位置に達した感光材料の感光面に対して露光手段によって主走査方向に沿うライン状に露光を行うよう構成されている露光ユニットに関し、詳しくは、基準プレートとガイド体との相対位置関係を設定する技術に関する。
【背景技術】
【０００２】
上記のように構成された露光ユニットと関連する技術として、以下の構成のものが存在する。つまり、露光ヘッド５ａより上流位置に第１駆動ローラ８１と、これに圧着可能な第１圧着ローラ８２とを配置し、露光ヘッド５ａより下流位置に第２駆動ローラ８３と、これに圧着可能な第２圧着ローラ８４とを配置し、印画紙２の乳剤層（本発明の感光面側）に対向する前ガイド面９１（本発明のガイド体）を形成した前ガイド部材９０と、印画紙２の基材層に対向する後ガイド面９３を形成した後ガイド部材９２（本発明の基準プレート）とを備えている。更に、前ガイド部材９０は、共通の平面上に配置した上流側前ガイド部材９０ａと、中央前ガイド部材９０ｂと、下流側前ガイド部材９０ｃとから成り、後ガイド部材９２は、共通の平面上に配置した上流側後ガイド部材９２ａと、中央後ガイド部材部材９２ｂと、下流側後ガイド部材９２ｃとで成っている。そして、前ガイド部材９０と後ガイド部材９２との間隔（幅Ｗ）が、印画紙２の厚さ（０．２ｍｍ）とデジタルプリント部５の焦点深度（０．５ｍｍ）との和を越えないように設定されている（例えば、特許文献１参照・番号は文献中のものを引用）。
【０００３】
また、上記のように構成された露光ユニットと関連する技術として、以下の構成のものが存在する。つまり、搬送ベルト４に写真感光材料５を搬送する搬送経路を形成し、この搬送経路に搬送される写真感光材料５を圧着するよう第１駆動ローラ対１と第２駆動ローラ対２とを備え、これら第１駆動ローラ対１と第２駆動ローラ対２との中間位置に光ビーム６を照射する画像光照射部７を形成し、この画像光照射部７の近傍位置にピント面維持ガイド８（本発明のガイド体）を配置している。このピント面維持ガイド８は、前側ガイド８ｆと後側ガイド８ｒとで構成され、前側ガイド８ｆと後側ガイド８ｒとに形成した複数のローラ収容部１０に対してローラシャフト１１によって回転自在、かつ、写真感光材料５の方向（写真感光材料５の面に対して直交する方向に）に対して変位自在に押さえローラ１２を収納している。また、ローラシャフト１１には、押さえローラ１５を写真感光材料５の方向の突出させるばね１５の付勢力を作用させ、写真感光材料５にピント面維持ガイド８から適度の圧力を作用させるよう構成されている（例えば、特許文献２参照・番号は文献中のものを引用）。
【０００４】
【特許文献１】特開２００２‐２３２７３号公報  （段落番号〔００２５〕〜〔００３６〕、図３）
【特許文献２】特開平１１‐３３８０６０号公報  （段落番号〔００１１〕〜〔００２０〕、図１）
【発明の開示】
【発明が解決しようとする課題】
【０００５】
基準プレートとガイド体との間にシート状の感光材料を導入して圧着ローラ等の搬送機構によって、この感光材料を副走査方向に搬送し、露光位置において主走査方向に露光を行う構造の露光ユニットを考えるに、この構造の露光ユニットでは、露光位置において感光材料が基準プレートから浮き上がる現象を抑制するためにガイド体を備えている。また、このガイド体と基準プレートとの間の距離は、感光材料の厚みと略一致することが理想であるが、感光材料の滑動性や組立の精度を考慮して感光材料の厚みより僅かに大きく設定しているのが現状である。
【０００６】
写真感光材料としてロール状の印画紙を使用する露光系を考えた場合、感光材料メーカから供給されるロール状の感光材料は、中間部分において比較的厚いスプライシングテープで繋ぎ合わせたものもあり、基準プレートとガイド体との間に対して、スプライシングテープで繋ぎ合わせた感光材料を通過させ得るよう構成する必要もある。
【０００７】
そこで、特許文献１の構成を考えた場合、前ガイド部材が第１、第２圧着ローラの前後（搬送方向での上流側から下流側）の比較的広範な領域に形成されているので、感光材料を平坦な姿勢に維持したまま露光ヘッドでの露光位置に供給できる反面、スプライシングテープで繋ぎ合わせた部位の通過を許すためには、前ガイド部材と後ガイド部材との間隔を比較的大きく設定する必要がある。また、特許文献２の構成を考えた場合、ピント面維持ガイドの部位において写真感光材料の浮き上がりを良好に抑制できる反面、スプライシングテープで繋ぎ合わせた写真感光材料の通過を実現するためにには、押さえローラを大きく変位させる構造を採用することや、ピント面維持ガイドを大きく変位させる構造を採用する必要があり改善の余地がある。特に、特許文献２のように押さえローラを備えたものでは、押さえローラを感光材料の感光面に接触させる構造となるので、この押さえローラが回転不良の状態に陥った場合には、感光面を傷付けることも考えられ、この点においても改善の余地がある。
【０００８】
本発明の目的は、露光位置での感光材料の浮き上がりを招くこと無く露光を行うと共に、基準プレートとガイド体との間にスプライシングテープで繋ぎ合わせた感光材料の通過を許す露光ユニットを合理的に構成する点にある。
【課題を解決するための手段】
【０００９】
本発明の特徴は、搬送機構によって副走査方向に搬送される感光材料の基材側を案内する基準プレートと、この感光材料の感光面側を案内するガイド体とを対向配置し、搬送によって露光位置に達した感光材料の感光面に対して露光手段によって主走査方向に沿うライン状に露光を行うよう構成されている露光ユニットにおいて、前記ガイド体が、前記露光位置より上流側に配置された前部ガイド体と、露光位置に配置された中央ガイド体と、露光位置より下流側に配置された後部ガイド体とで構成され、前記中央ガイド体と前記基準プレートとの間隔を、前部ガイド体と基準プレートとの間隔、及び、後部ガイド体と基準プレートとの間隔より小さく設定し、この中央ガイド体を前記基準プレートから離間する方向に変位自在、かつ、付勢手段によって前記基準プレートに接近する方向に付勢してある点にある。
【００１０】
この構成により、搬送機構によって搬送される感光材料は、基材側を基準プレートに案内され、感光面側をガイド体に案内されるものとなり、この案内時には露光位置の上流側の前部ガイド体と、下流側の後部ガイド体によって感光材料を基準プレートに沿わせる形態で円滑に案内されるものとなる。また、前部ガイド体と基準プレートとの間隔及び後部ガイド体と基準プレートとの間隔より、中央ガイド体と基準プレートとの間隔を小さく設定しているので、この中央ガイド体によって露光位置における感光材料を基準プレートの側に接近させることになり、感光材料の浮き上がりを抑制するものとなる。更に、中央ガイド体が基準プレートから離間する方向に変位できるので、スプライシングテープで繋ぎ合わせた感光材料の通過を容易に行える。その結果、露光位置での感光材料の浮き上がりを良好に抑制し、スプライシングテープで繋ぎ合わせた感光材料の通過も無理なく行える露光ユニットが構成された。
【００１１】
本発明は、前記搬送機構が、前記露光位置を基準にして搬送方向での上流側と下流位置とに配置された圧着型のローラで構成されると共に、前記中央ガイド体が、前記上流側と下流側との圧着型のローラの中間位置に配置され、かつ、主走査方向にスリット状となる開口を形成した棒状部材で構成され、この棒状部材の両端に対して、この棒状部材を前記基準プレートの案内面と直交する方向へ変位自在に案内する案内機構と、前記付勢手段とを備えても良い。
【００１２】
この構成により、感光材料は上流側の圧着型のローラから下流側の圧着ローラに対して受け渡す形態で搬送されるものとなり、この搬送時には夫々の圧着ローラの中間位置に配置された棒状部材で成る中央ガイド体で浮き上がりを抑制され、しかも、この棒状部材に対して主走査方向にスリット状となる開口を介してライン状の露光を行えるものとなる。また、この中央ガイド体は両端部に配置された案内機構により基準プレートの案内面に対して直交する方向に変位自在に案内され、この両端部位に配置された付勢手段によって付勢されるので、例えば、案内機構と付勢手段とが離間配置されたものと比較してコジリを発生させることなく中央ガイド体の円滑な作動を現出する。その結果、中央ガイド体によって精度の高い露光を実現し、この中央ガイド体の円滑な変位により感光材料から外力が作用しても破損することがないものとなった。
【００１３】
本発明は、前記基準プレートを形成した主フレームに対して開閉自在又は分離自在に可動フレームを支持すると共に、この可動フレームに対して前記前部ガイド体と、中央ガイド体と、後部ガイド体とを支持しても良い。
【００１４】
この構成により、主フレームに対して可動フレーム開閉した場合や、分離した場合には、可動フレームと一体的に前部ガイド体、中央ガイド体、後部ガイド体を主フレームから離間させることが可能となる。その結果、この搬送部位に感光材料の詰まりを発生した場合や、メンテナンスを行う場合でも感光材料を搬送する部位を大きく開いて容易に作業を行えるものとなった。
【００１５】
本発明は、前記ローラが、駆動ローラと、この駆動ローラの回転に従って回転する従動ローラとで構成され、前記駆動ローラを前記主フレームに支持し、前記従動ローラを前記可動フレームに支持しても良い。
【００１６】
この構成により、駆動ローラに対して主フレームの側に備えた駆動系からの動力を簡単な伝動系で供給できると共に、駆動ローラに対して従動ローラを容易に分離できる。その結果、圧着ローラの駆動系を簡単な伝動系で構成できるものにしながら、駆動ローラと圧着ローラとのメンテナンスを容易にするものとなった。
【００１７】
本発明は、ガイド体と前記後部ガイド体とが板状部材で形成されると共に、この前部ガイド体を感光材料の搬送方向で前記従動ローラより上流側から下流側に亘る位置に配置し、前記後部ガイド体を搬送方向で前記従動ローラより上流側から下流側に亘る位置に配置し、かつ、前記前部ガイド体と前記後部ガイド体とに前記従動ローラが配置される開口を形成しても良い。
【００１８】
この構成により、前部ガイド体と、後部ガイド体とを例えば、プレス加工した金属板を用いることが可能になるばかりか、前部ガイド体で案内される感光材料を上流側の圧着ローラに対して円滑に送り込み、露光の後に後部ガイド体で案内される感光材料を下流側の圧着ローラに対して円滑に送り込むものとなる。その結果、簡単な構造で低廉化が可能でありながら、感光材料を円滑に搬送できるものとなった。
【発明を実施するための最良の形態】
【００１９】
以下、本発明の実施の形態を図面に基づいて説明する。
図１に示すように、感光材料としての銀塩印画紙Ｐ（以下、印画紙Ｐと称する）に対して露光を行う露光ブロックＥｘと、このように露光された印画紙Ｐの現像処理を行う現像処理装置としての現像ブロックＤｅと、現像処理後の印画紙Ｐを乾燥する乾燥ブロックＤｒとを筐体１０に収納すると共に、筐体１０の外部には、処理の後に筐体１０の上部から水平方向に送り出される印画紙Ｐをベルト搬送機構１１からソータ（図示せず）に送り、オーダ単位で仕分けて集積する写真プリント装置が構成されている。この写真プリント装置はデジタルミニラボと称せられるものであり、図面には示していないが、写真フィルムのコマ画像をフィルムスキャナによって光電変換することにより取り込んだ画像情報、あるいは、デジタルカメラで撮影した画像情報を該写真プリント装置に伝送することにより、露光ブロックＥｘにおいて、その画像情報に基づき印画紙Ｐに対して露光を行えるものとなっている。
【００２０】
前記露光ブロックＥｘは、２つの印画紙マガジンＭ、Ｍの一方に収納したロール状の印画紙Ｐを供給ユニットＵ１でプリントサイズに切断して上方に搬送し、この供給ユニットＵ１からの印画紙Ｐを露光ユニットＵ２において鉛直姿勢となる搬送経路を下方から上方に搬送しながら画像情報の露光を行い、この露光ユニットＵ２から上方に送られる印画紙Ｐを前部ローラユニットＵ３において搬送方向を水平方向に変換した後、振分ユニットＵ４で水平方向に送り、この後、後部ローラユニットＵ５から前記現像ブロックＤｅに受け渡すよう構成されている。
【００２１】
前記供給ユニットＵ１は、印画紙マガジンＭからの印画紙Ｐを搬送する複数の圧着ローラ１３と、印画紙Ｐをプリントサイズに切断するカッター１４と、印画紙Ｐを挟持して上方に移動するチャック機構１５とを備えている。前記露光ユニットＵ２は、搬送機構によって印画紙Ｐを下方から上方へ搬送しながら、その印画紙Ｐに対して露光を行うよう露光手段としてのレーザ走査型の露光エンジン１７を備えている。前記全部ローラユニットＵ３は、湾曲状の搬送経路において圧着状態と開放状態とに切り換え自在に配置された複数の搬送ローラ１８を備えている。前記振分ユニットＵ４は、印画紙Ｐを挟持して２列の振り分け経路に振り分ける２つのチャッカーＣＨを備えている。前記後部ローラユニットＵ５は、振分ユニットＵ４で振り分けられた印画紙Ｐを２列の振り分け経路に沿って搬送する複数の圧着ローラ１９を備えている。
【００２２】
前記現像ブロックＤｅには、発色現像槽と漂白定着槽と安定槽とで成る複数の現像処理槽２０を備えると共に、夫々の現像処理槽に印画紙Ｐを供給するよう多数の圧着ローラを有した搬送ユニット２１を備えて構成されている。また、乾燥ブロックＤｒは印画紙に対してブロワー２２からの乾燥空気を供給する搬送経路を形成している。
【００２３】
このように構成された写真プリント装置は従来からのものと基本的に変わるものではなく、本発明では、露光ユニットＵ２における印画紙Ｐの搬送構造に特徴を有するものである。
【００２４】
前記露光ユニットＵ２は、図２及び図３に示すように、全体がアルミニウム等の金属材で形成された主フレームＦ１と、この主フレームＦ１に対して分離自在に支持され、全体がアルミニウム等の金属材で形成された可動フレームＦ２とを備え、主フレームＦ１と可動フレームＦ２との境界位置に印画紙Ｐを鉛直方向に搬送する搬送経路が形成されている。また、この搬送経路に対して印画紙Ｐを副走査方向に搬送する搬送手段を備え、この搬送手段で露光位置Ｘに送り込まれた印画紙Ｐの感光面に対して前記露光エンジン１７からのレーザビームＬＢにより主走査方向にライン状となる露光が行われる。ちなみに、露光エンジン１７は、ケーシングの内部に収納したＲ（赤）、Ｇ（緑）、Ｂ（青）の三原色のレーザ光源からのレーザビームＬＢを音響光学式の変調手段によって光量を調節した後、縦軸芯で回転するポリゴンミラーのミラー面で反射させることにより主走査方向に走査する状態で前記露光位置Ｘに送り出す構造のものが使用されている。尚、露光ヘッドは蛍光ビーム方式、液晶シャッター方式、ＤＭＤ方式等の使用が可能である。
【００２５】
前記主フレームＦ１に印画紙Ｐの搬送経路の側に印画紙Ｐの基材側に接触して案内するよう平坦に成型された基準プレート２５を備え、この基準プレート２５と対向する位置の前記可動部材Ｆ２に印画紙Ｐの感光面側を案内するガイド体Ｇを備えている。この可動フレームＦ２は下端部に形成した連結軸２６を主フレーム側の凹部２７に係入させ、上端を主フレームＦ１の側に引き寄せる形態でバックル等の保持機構（図示せず）で固定することで、基準プレート２５とガイド体Ｇとを対向する位置関係に保持するよう構成されている。尚、前記基準プレート２５は、前記主フレームＦ１に対してボルト等で固定する構造のものでも、主フレームＦ１に対して一体的に形成された構造のものでも良く、印画紙Ｐに接触する側の案内面２５Ｓが光線の反射を防止するため黒色に着色されている。更に、前記ガイド体Ｇは、印画紙Ｐの搬送方向で露光位置より上流側に配置された前部ガイド体３１と、露光位置Ｘに配置された中央ガイド体３２と、露光位置Ｘより下流側に配置された後部ガイド体３３とで構成されている（これらのガイド体Ｇの詳細は後述する）。
【００２６】
前記主フレームＦ１の下部位置に前記チャック機構１５からの印画紙Ｐを受け取る圧着型の導入ローラＲ０を備えている。この導入ローラＲ０は駆動回転する主ローラ３５と、この主ローラ３５に対して圧着する圧着位置、及び、離間する開放位置に切換え自在な副ローラ３６とで構成され、主ローラ３５に対してステッピングモータ型の導入モータ３７の駆動力が減速機構３８を介して伝えられ、副ローラ３６はアクチュエータ３９の作動により前記圧着位置と開放位置とに切換え自在に構成されている。
【００２７】
前記搬送手段は、前記導入ローラＲ０からの印画紙Ｐを露光位置Ｘに送り込むよう、この露光位置Ｘより上流側に配置された第１圧着ローラＲ１と、第１圧着ローラＲ１からの印画紙を上方に送るよう露光位置より下流側に配置された第２圧着ローラＲ２とで構成されている。前記第１圧着ローラＲ１は、駆動ローラ４１と、この駆動ローラ４１に圧着することにより回転する従動ローラ４２とで構成され、前記第２圧着ローラＲ２は、駆動ローラ５１と、この駆動ローラ５１に圧着することにより回転する従動ローラ５２とで構成されている。
【００２８】
図２〜図４に示すように、前記夫々の駆動ローラ４１、５１は、その軸部４１Ａ、５１Ａに対して軸芯の沿う方向で複数のローラ部４１Ｂ、５１Ｂを形成した構造を有し、軸部４１Ａ、５１Ａを主フレームＦ１に対して支承している。前記ローラ部４１Ｂ、５１Ｂはアルミニウム等の金属材の外周面にセラミック材をコーティングしており、このローラ部４１Ｂ、５１Ｂを収容する開口を前記基準プレート２５に形成し、かつ、このローラ部４１Ｂ、５１Ｂの外周部が前記開口を介して基準プレート２５の案内面２５Ｓから搬送経路側に僅かに突出する位置関係となるよう該駆動ローラ４１、５１が支承されている。また、主フレームＦ１の側にステッピングモータ型の搬送モータ６０を備え、この搬送モータ６０からの駆動力を第１無端ベルト６１、及び、第２無端ベルト６２で成る減速伝動系を介して駆動ローラ４１、５１に伝える伝動系が形成されている。
【００２９】
前記夫々の従動ローラ４２、５２は、その軸体４２Ａ、５２Ａに対して軸芯に沿う方向でゴムや柔軟な樹脂で成る複数のローラ部４２Ｂ、５２Ｂを形成した構造を有し、この複数のローラ部４２Ｂ、５２Ｂは、前記駆動ローラ４１、５１の複数のローラ部４１Ｂ、５１Ｂと対向する位置に配置されている。また、可動フレームＦ２に対して従動ローラ４２、５２の軸体４２Ａ、５２Ａと平行する姿勢となる一対の操作軸４３、５３を回転自在に支承すると共に、この操作軸４３、５３と一体的に揺動するアーム４４、５４の揺動端に前記従動ローラ４２、５３の軸体４２Ａ、５２Ａを遊転支承してあり、この構造から操作軸４３、５３の軸芯周りでの回動作動によって従動ローラ４２、５２を駆動ローラ４１、５１に圧着する圧着位置と、駆動ローラ４１、５１から離間する開放位置との切換え自在に構成されている。そして、図面には示さないが、夫々の従動ローラ４２、５２を圧着位置に付勢するバネ等の付勢手段を備えている。
【００３０】
前記夫々の操作軸４３、５３の端部に固設したクランク部材４５、５５の揺動端にローラ型のカムフォロア４６、５６を遊転支承し、夫々のカムフォロア４６、５６に接当する回転カム４７、５７を前記主フレームＦ１に支持し、夫々の回転カム４７、５７に対してステッピングモータ型のカムモータ４８、５８からの駆動力をベルト伝動機構４９、５９を介して回転操作するカム操作系を形成している。尚、前記カムフォロア４６、５６の軸芯位置は前記従動ローラ４２、５２の軸芯上に配置され、主フレームＦ１から可動フレームＦ２を分離した場合には、カムフォロア４６、５６と、回転カム４７、５７とが分離する形態となる。
【００３１】
前記前部ガイド体３１と、後部ガイド体３３とは、アルミニウムやステンレス等の板状の素材に対して前記従動ローラ４２、５２のローラ部が挿通する開口を形成して成り、前部ガイド体３１は印画紙Ｐの搬送方向の上流側の端部を基準プレート２５から離間する側に緩やかに屈曲させてあり、後部ガイド体３３は、印画紙Ｐの搬送方向の上流側の端部と開口の上流側の端部側とを基準プレート２５から離間する方向に緩やかに屈曲させることにより印画紙Ｐを円滑に搬送できるよう構成している。
【００３２】
図２、図３、図５〜図７に示すように、前記中央ガイド体３２は、アルミニウム等で主走査方向と平行姿勢となる成る棒状部材の中央位置に主走査方向と平行姿勢のスリット状の開口３２Ａを形成して成り、この中央ガイド体３２の両端部を、ホルダーＨによって前記基準プレート２５の案内面２５Ｓと直交する方向に接近及び離間自在に支持している。前記ホルダーＨは、前記可動フレームＦ２に固設したものであり、その内部には、中央ガイド体３２の両端部の切り欠き部３２Ｂに係入する案内機構としてのガイドピン６５を備え、この中央ガイド体３２の端部を基準プレート２５の側に付勢する付勢手段としての圧縮コイルバネ６６を備え、この中央ガイド体３２の端部に接当することにより中央ガイド体３２の基準プレート２５の側への移動を阻止する位置規制部６７を備えている。また、中央ガイド体３２は基準プレート２５と対向する面、及び、開口３２Ａの内面に光線の反射を抑制するよう黒色に着色している。
【００３３】
主フレームＦ１に対して可動フレームＦ２を備えた状態において、前記前部ガイド体３１と基準プレート２５との間に間隔Ｄ１となる隙間が形成されるよう位置関係を設定してある。また、主フレームＦ１に対して可動フレームＦ２を備えた状態において、図７（ａ）に示すようにホルダーＨの基準プレート側の一部が前記基準プレート２５の案内面２５Ｓに接当することにより前記中央ガイド体３２と基準プレート２５との間に間隔Ｄ２となる隙間が形成されるよう、前記位置規制部６７の位置を設定してある。また、主フレームＦ１に対して可動フレームＦ２を備えた状態において、後部ガイド体３２と基準プレート２５との間に間隔Ｄ３となる隙間が形成されるよう位置関係を設定してある。
【００３４】
具体的には、間隔Ｄ１は０．８ｍｍに設定され、間隔Ｄ２は０．４ｍｍに設定され、間隔Ｄ３は０．８ｍｍに設定されている（Ｄ１＝Ｄ２＝０．８ｍｍ）。尚、印画紙Ｐの一般的な厚さは０．２ｍｍ程度であり、印画紙Ｐを比較的厚いスプライシングテープで繋ぎ合わせた場合でも、その厚さが０．８ｍｍを越えることはなく、スプライシングテープで繋ぎ合わせた印画紙Ｐが露光ユニットＵ２の部位に送り込まれた場合でも、前部ガイド体３１の部位と、後部ガイド体３３との部位は容易に通過でき、中央ガイド体３２の部位では、図７（ｂ）に示すように、前記圧縮コイルバネ６６の付勢力に抗して中央ガイド体３２が基準プレート２５から離間する側に変位することにより印画紙Ｐが通過できるものにしている。
【００３５】
制御系は示さないが、この露光ユニットＵ２では、以下の制御に従って印画紙Ｐの搬送が行われる。つまり、図８に示すように、供給ユニットＵ１のチャック機構１５で挟持された印画紙Ｐを受け入れる際には、導入ローラＲ０の副ローラ３６を開放位置に設定しておき、チャック機構１５のチャック部材１５ａ、１５ａで挟持された印画紙Ｐの先端部を挿入する形態での導入を許す（ａ）。次に、この副ローラ３６を圧着位置に設定することにより主ローラ３５と、この副ローラ３６とで印画紙Ｐを圧着した後に、チャック機構１５のチャック部材１５ａ、１５ａによる挟持が解除され、この挟持が解除された後に導入ローラＲ０を駆動して搬送が開始される（ｂ）。この搬送を継続することにより印画紙Ｐは、その基材の側が基準プレート２５に接触して案内されると同時に、その感光面の側が前部ガイド体３１に案内されるものとなり、このように基準プレート２５と前部ガイド体３１とで案内される状態で印画紙Ｐが第１圧着ローラＲ１の側に送られる。
【００３６】
第１、第２圧着ローラＲ１、Ｒ２の駆動ローラ４１、５１は印画紙Ｐの有無に拘わらず駆動状態にあり、また、導入ローラＲ０で印画紙Ｐの搬送を開始した後には、印画紙Ｐの先端部が前記第１圧着ローラＲ１の部位に達する以前に、前記第１圧着ローラＲ１の従動ローラ４２を開放位置にセットする制御が行われる（ｃ）。そして、この第１圧着ローラＲ１で搬送が可能な位置に印画紙Ｐの先端が達すると、従動ローラ４２を圧着位置にセットする制御により、この第１圧着ローラＲ１の駆動ローラ４１と従動ローラ４２とで印画紙Ｐを圧着して搬送を開始し、このように第１圧着ローラＲ１による搬送を開始した後には、導入ローラＲ０の副ローラ３６を解除位置にセットする制御を行うことにより、印画紙Ｐに対して導入ローラＲ０の側から外力を作用させないようにする（ｄ）。
【００３７】
また、第１圧着ローラＲ１で印画紙Ｐの搬送を開始した後には、印画紙Ｐの先端が露光位置Ｘに達する直前に、基準プレート２５と中央ガイド体２５との間に導入されるものとなり、露光が開始される際には、中央ガイド体２５で印画紙Ｐが基準プレート２５から浮き上がる不都合を抑制しながら露光が開始されるものとなる。
【００３８】
次に、印画紙Ｐに対する露光が開始された印画紙Ｐの先端が送られる以前に前記第２圧着ローラＲ２の従動ローラ５２を開放位置にセットする制御が行われ（ｅ）、この第２圧着ローラＲ２の部位に印画紙Ｐの先端が達したタイミングで従動ローラ５２を圧着位置にセットする制御により、この第２圧着ローラＲ２の駆動ローラ５１と従動ローラ２２とで印画紙Ｐを圧着して搬送を開始し、このように第２圧着ローラＲ２で印画紙Ｐの搬送を開始した後には、適当なタイミングで第１圧着ローラＲ１の従動ローラ４２を開放姿勢に切り換える制御を行うことにより、第１圧着ローラＲ１の側からの外力を作用させない状態で第２圧着ローラＲ２の搬送力のみによって印画紙Ｐの搬送が行われるのである（ｆ）。
【００３９】
これらの作動は、前記導入ローラＲ０を構成する副ローラ３６のアクチュエータ３９の制御、主ローラ３５を駆動する導入モータ３７の制御、前記第１、第２圧着ローラＲ１、Ｒ２を構成する従動ローラ４２、５２の姿勢を決める回転カム４７、５７を回転操作するカムモータ４８、５８の制御によって実現する。
【００４０】
このように、本発明の露光ユニットＵ２では、露光位置Ｘにおいては印画紙Ｐを中央ガイド体３２と基準プレート２５との間の比較的狭い隙間を印画紙Ｐを通過させることにより印画紙Ｐの浮き上がりを抑制した良好な露光を行うと共に、この露光位置Ｘを基準として上流側においては基準プレート２５と前部ガイド体３１との隙間を露光位置Ｘの隙間より大きくすることにより、印画紙Ｐの円滑な導入を実現し、更に、露光位置Ｘを基準として下流側においては基準プレート２５と後部ガイド体３３との隙間を露光位置Ｘの隙間より大きくすることにより、印画紙Ｐの円滑な排出を実現している。特に、露光位置Ｘに配置した中央ガイド体３２は圧縮コイルバネ６６によって基準プレート２５の側に付勢されているので、基準プレート２５の隙間を小さく設定したものであるに係わらず、例えば、スプライシングテープで繋ぎ合わせた印画紙Ｐが送られた場合でも、中央ガイド体３２が基準プレート２５から離間する方向への変位を可能にして、この部位で印画紙Ｐが詰まる現象や印画紙Ｐの搬送系を破損する不都合を回避できるものにしているのである。
【００４１】
また、この露光ユニットＵ２では、主フレームＦ１に対して可動フレームＦ２を分離自在に構成しているので、印画紙Ｐの搬送経路で印画紙Ｐの詰まりを発生した場合には印画紙Ｐを容易に除去できるものとなり、また、印画紙Ｐの搬送経路にメンテナンスを行う場合にも、搬送経路を大きく開放して良好な作業性を得るものにしている。
【００４２】
〔別実施の形態〕
主フレームＦ１に対して可動フレームＦ２を揺動式に支持することにより、主フレームＦ１に対して可動フレームＦ２を揺動させることによって印画紙Ｐの搬送経路を開放できるよう構成しても良い。
【図面の簡単な説明】
【００４３】
【図１】写真プリント装置の縦断側面図
【図２】搬送経路を構成する主フレームと可動フレームとを示す断面図
【図３】基準プレートとガイド体との位置関係を示す断面図
【図４】駆動ローラと従動ローラとの位置関係及び作動構造を示す斜視図
【図５】３つのガイド体の位置関係を示す図
【図６】中央ガイド体の支持構造を示す斜視図
【図７】中央ガイド体と基準プレートとの位置関係を示す断面図
【図８】露光ユニットの搬送経路に対する印画紙の搬送順序を示す模式図
【符号の説明】
【００４４】
２５          基準プレート
３１          前部ガイド体
３２          中央ガイド体
３２Ａ        開口
３３          後部ガイド体
４１、５１    駆動ローラ
４２、５２    従動ローラ
６６          付勢手段
Ｆ１          主フレーム
Ｆ２          可動フレーム
Ｇ            ガイド体
Ｐ            感光材料
Ｘ            露光位置
【図１】
2005075600.tif 000003
【図２】
2005075600.tif 000004
【図３】
2005075600.tif 000005
【図４】
2005075600.tif 000006
【図５】
2005075600.tif 000007
【図６】
2005075600.tif 000008
【図７】
2005075600.tif 000009
【図８】
2005075600.tif 000010